(57)【要約】      （修正有）【課題】簡単な操作で組み立てたり折り畳んだりすることができ、小型化しやすくシンプルな構造の緩衝仕切り部材及びこれを用いた包装箱を提供する。【解決手段】組み立て状態で、第一上折罫線２８(1)が折り曲げられ、第一中仕切り板２６(1)の裏面の部分が第一上壁部３４(1)の裏面に糊付けされる。第二上折罫線２８(2)が折り曲げられ、第二中仕切り板２６(2)の裏面の部分が第二上壁部３４(2)の裏面に糊付けされる。第一中仕切り板２６(1)の表面が第二中仕切り板２６(2)の表面に糊付けされる。第一及び第二底板２０(1)，２０(2)が下折罫線１８を介してほぼ面一に配置される。第一及び第二中仕切り板２６(1)，２６(2)、第一及び第二上壁部３４(1)，３４(2)が、第一及び第二底板２０(1)，２０(2)に対してほぼ垂直に配置される。第一及び第二小形仕切り部３６(1)，３６(2)が、第一及び第二上壁部３４(1)，３４(2)に対して交差する向きに配置される。【選択図】図２
0003210123.tif 000002
【実用新案登録請求の範囲】
【請求項１】
１枚の台紙から成り、前記台紙には、
下折罫線を介して互いに連続する第一底板及び第二底板と、
前記第一底板の、前記下折罫線と反対側の端部に延設され、前記下折罫線に対向する第一中折罫線により前記第一底板と区切られた第一仕切り構造板と、
前記第二底板の、前記下折罫線と反対側の端部に延設され、前記下折罫線に対向する第二中折罫線により前記第二底板と区切られた第二仕切り構造板と、
前記第一仕切り構造板の、前記第一中折罫線と反対側の端部に延設され、前記第一中折罫線に対向する第一上折罫線により前記第一仕切り構造板と区切られた第一中仕切り板と、
前記第二仕切り構造板の、前記第二中折罫線と反対側の端部に延設され、前記第二中折罫線に対向する第二上折罫線により前記第二仕切り構造板と区切られた第二中仕切り板とが設けられ、
前記第一仕切り構造板は、前記第一底板に連続する第一下壁部と、前記第一中仕切り板に連続する第一上壁部と、前記第一下壁部及び前記第一上壁部に連続する第一小形仕切り部とを有し、
前記第二仕切り構造板は、前記第二底板に連続する第二下壁部と、前記第二中仕切り板に連続する第二上壁部と、前記第二下壁部及び前記第二上壁部に連続する第二小形仕切り部とを有し、
組み立て状態で、
前記第一上折罫線が折り曲げられ、前記第一中仕切り板の裏面の部分が前記第一上壁部の裏面に糊付けされ、
前記第二上折罫線が折り曲げられ、前記第二中仕切り板の裏面の部分が前記第二上壁部の裏面に糊付けされ、
前記第一中仕切り板の表面が前記第二中仕切り板の表面に糊付けされ、
前記第一底板及び前記第二底板が前記下折罫線を介してほぼ面一に配置され、
前記第一中仕切り板、第二中仕切り板、前記第一上壁部及び前記第二上壁部が、前記第一底板及び前記第二底板に対してほぼ垂直に配置され、
前記第一小形仕切り部及び前記第二小形仕切り部が、前記第一上壁部及び前記第二上壁部に対して交差する向きに配置されていることを特徴とする緩衝仕切り部材。
【請求項２】
折り畳み状態では、
前記第一仕切り構造板の前記第一下壁部、前記第一上壁部及び前記第一小形仕切り部がほぼ面一に配置され、
前記第二仕切り構造板の前記第二下壁部、前記第二上壁部及び前記第二小形仕切り部がほぼ面一に配置され、
前記第一底板及び前記第二底板が互いに折り重なる請求項１記載の緩衝仕切り部材。
【請求項３】
１枚の台紙から成り、前記台紙には、
上折罫線を介して互いに連続する第一仕切り構造板及び第二仕切り構造板と、
前記第一仕切り構造板の、前記上折罫線と反対側の端部に延設され、前記上折罫線に対向する第一中折罫線により前記第一仕切り構造板と区切られた第一底板と、
前記第二仕切り構造板の、前記上折罫線と反対側の端部に延設され、前記上折罫線に対向する第二中折罫線により前記第二仕切り構造板と区切られた第二底板と、
前記第一底板の、前記第一中折罫線と反対側の端部に延設され、前記第一中折罫線に対向する第一下折罫線により前記第一底板と区切られた第一中仕切り板と、
前記第二底板の、前記第二中折罫線と反対側の端部に延設され、前記第二中折罫線に対向する第二下折罫線により前記第二底板と区切られた第二中仕切り板とが設けられ、
前記第一仕切り構造板は、前記第一底板に連続する第一下壁部と、前記上折罫線を介して前記第二仕切り構造板に連続する第一上壁部と、前記第一下壁部及び前記第一上壁部に連続する第一小形仕切り部とを有し、
前記第二仕切り構造板は、前記第二底板に連続する第二下壁部と、前記上折罫線を介して前記第一仕切り構造板に連続する第二上壁部と、前記第二下壁部及び前記第二上壁部に連続する第二小形仕切り部とを有し、
組み立て状態で、
前記上折罫線が折り曲げられ、前記第一上壁部及び前記第二上壁部の、前記上折罫線側の部分の裏面同士が互いに糊付けされ、
前記第一中仕切り板の表面が前記第二中仕切り板の表面に糊付けされ、
前記前記第一底板及び前記第二底板が、前記第一下折罫線及び前記第二下折罫線を介してほぼ面一に配置され、
前記第一中仕切り板、第二中仕切り板、前記第一上壁部及び前記第二上壁部が、前記第一底板及び前記第二底板に対してほぼ垂直に配置され、
前記第一小形仕切り部及び前記第二小形仕切り部が、前記第一上壁部及び前記第二上壁部に対して交差する向きに配置され、
前記第一中仕切り板及び前記第二中仕切り板の少なくとも一方の上端部が、前記第一上壁部及び前記第二上壁部の糊付けされていない部分の間に入って係合していることを特徴とする緩衝仕切り部材。
【請求項４】
折り畳み状態では、
前記第一仕切り構造板の前記第一下壁部、前記第一上壁部及び前記第一小形仕切り部がほぼ面一に配置され、
前記第二仕切り構造板の前記第二下壁部、前記第二上壁部及び前記第二小形仕切り部がほぼ面一に配置され、
前記第一底板、前記第一中仕切り板、前記第二中仕切り板及び前記第二底板が順に折り重なる請求項３記載の緩衝仕切り部材。
【請求項５】
請求項１又は３記載の緩衝仕切り部材とこれを収容する外箱とで構成され、
前記緩衝仕切り部材が前記外箱内に収容された状態で、前記緩衝仕切り部材の端部が前記外箱の側面及び底面に係止され、前記緩衝仕切り部材の組み立て状態の形状が保持されることを特徴とする包装箱。
【考案の詳細な説明】
【技術分野】
【０００１】
本考案は、複数の商品を各々区切って収容するための緩衝仕切り部材、及びこれを用いた包装箱に関する。
【背景技術】
【０００２】
従来、この種の緩衝仕切り部材として、例えば特許文献１に開示されているように、１枚の台紙を組み立てることにより形成され、収容されたバイアル等の複数の薬瓶を保護する並列一体型保護仕切り装置があった。台紙は、底面の前側に前面板、仕切り板、中央列仕切り板及び中央背板が順に延設され、底面の後ろ側に後面板、仕切り板、中央列仕切り板及び糊代片が順に延設され、各仕切り板に、複数の薬瓶嵌入孔が形成されている。組み立て状態で、各仕切り板（及び薬瓶嵌入孔）は、互いに近接してほぼ面一に配置され、それぞれ前面板又は後面板と中央列仕切り板とで支持されて底面の上方に対向する。そして、中央列仕切り板が底面に対してほぼ垂直に起立して、２つの仕切り板の間を区切る。
【０００３】
また、台紙の底面の左側には左側板及び差込フラップが順に延設され、底面の右側には右側板及び差込フラップが順に延設されている。左右側板及び差込フラップは、組み立て状態で、筒状体の側端部を塞ぐために設けられている。
【先行技術文献】
【特許文献】
【０００４】
【特許文献１】実開平６−５３４２６号公報
【考案の概要】
【考案が解決しようとする課題】
【０００５】
この種の包装用の台紙は、ブランクシートを金型で打ち抜いて製作されるのが一般的である。特許文献１の並列一体型保護仕切り装置に使用される台紙も同様であり、隣接する薬瓶嵌入孔の間隔を狭くしすぎると、金型で打ち抜いたときに、２つの孔に挟まれた部分が破損しやすくなってしまう。そのため、薬瓶嵌入孔は一定以上の間隔を空けて配置しなければならず、台紙を展開したときの外形や組み立て状態の外形が必要以上に大きくなってしまう。
【０００６】
また、折り畳み状態の台紙を組み立てるときや、使用済みの台紙を折り畳んで廃棄するとき、筒状体の側端部に差込フラップを差し込んだり引き抜いたりする等の面倒な操作が必要になる。
【０００７】
本考案は、上記背景技術の問題点に鑑みてなされたものであり、簡単な操作で組み立てたり折り畳んだりすることができ、小型化しやすくシンプルな構造の緩衝仕切り部材及びこれを用いた包装箱を提供することを目的とする。
【課題を解決するための手段】
【０００８】
本考案は、１枚の台紙から成る緩衝仕切り部材であって、前記台紙には、下折罫線を介して互いに連続する第一底板及び第二底板と、前記第一底板の、前記下折罫線と反対側の端部に延設され、前記下折罫線に対向する第一中折罫線により前記第一底板と区切られた第一仕切り構造板と、前記第二底板の、前記下折罫線と反対側の端部に延設され、前記下折罫線に対向する第二中折罫線により前記第二底板と区切られた第二仕切り構造板と、前記第一仕切り構造板の、前記第一中折罫線と反対側の端部に延設され、前記第一中折罫線に対向する第一上折罫線により前記第一仕切り構造板と区切られた第一中仕切り板と、前記第二仕切り構造板の、前記第二中折罫線と反対側の端部に延設され、前記第二中折罫線に対向する第二上折罫線により前記第二仕切り構造板と区切られた第二中仕切り板とが設けられ、前記第一仕切り構造板は、前記第一底板に連続する第一下壁部と、前記第一中仕切り板に連続する第一上壁部と、前記第一下壁部及び前記第一上壁部に連続する第一小形仕切り部とを有し、前記第二仕切り構造板は、前記第二底板に連続する第二下壁部と、前記第二中仕切り板に連続する第二上壁部と、前記第二下壁部及び前記第二上壁部に連続する第二小形仕切り部とを有している。
【０００９】
この緩衝仕切り部材は、組み立て状態で、前記第一上折罫線が折り曲げられ、前記第一中仕切り板の裏面の部分が前記第一上壁部の裏面に糊付けされ、前記第二上折罫線が折り曲げられ、前記第二中仕切り板の裏面の部分が前記第二上壁部の裏面に糊付けされ、前記第一中仕切り板の表面が前記第二中仕切り板の表面に糊付けされ、前記第一底板及び前記第二底板が前記下折罫線を介してほぼ面一に配置され、前記第一中仕切り板、第二中仕切り板、前記第一上壁部及び前記第二上壁部が、前記第一底板及び前記第二底板に対してほぼ垂直に配置され、前記第一小形仕切り部及び前記第二小形仕切り部が、前記第一上壁部及び前記第二上壁部に対して交差する向きに配置される。
【００１０】
折り畳み状態では、前記第一仕切り構造板の前記第一下壁部、前記第一上壁部及び前記第一小形仕切り部がほぼ面一に配置され、前記第二仕切り構造板の前記第二下壁部、前記第二上壁部及び前記第二小形仕切り部がほぼ面一に配置され、前記第一底板及び前記第二底板が互いに折り重なる。
【００１１】
また、本考案は、１枚の台紙から成る緩衝仕切り板であって、前記台紙には、上折罫線を介して互いに連続する第一仕切り構造板及び第二仕切り構造板と、前記第一仕切り構造板の、前記上折罫線と反対側の端部に延設され、前記上折罫線に対向する第一中折罫線により前記第一仕切り構造板と区切られた第一底板と、前記第二仕切り構造板の、前記上折罫線と反対側の端部に延設され、前記上折罫線に対向する第二中折罫線により前記第二仕切り構造板と区切られた第二底板と、前記第一底板の、前記第一中折罫線と反対側の端部に延設され、前記第一中折罫線に対向する第一下折罫線により前記第一底板と区切られた第一中仕切り板と、前記第二底板の、前記第二中折罫線と反対側の端部に延設され、前記第二中折罫線に対向する第二下折罫線により前記第二底板と区切られた第二中仕切り板とが設けられ、
前記第一仕切り構造板は、前記第一底板に連続する第一下壁部と、前記上折罫線を介して前記第二仕切り構造板に連続する第一上壁部と、前記第一下壁部及び前記第一上壁部に連続する第一小形仕切り部とを有し、前記第二仕切り構造板は、前記第二底板に連続する第二下壁部と、前記上折罫線を介して前記第一仕切り構造板に連続する第二上壁部と、前記第二下壁部及び前記第二上壁部に連続する第二小形仕切り部とを有している。
【００１２】
この緩衝仕切り部材は、組み立て状態で、前記上折罫線が折り曲げられ、前記第一上壁部及び前記第二上壁部の、前記上折罫線側の部分の裏面同士が互いに糊付けされ、前記第一中仕切り板の表面が前記第二中仕切り板の表面に糊付けされ、前記前記第一底板及び前記第二底板が、前記第一下折罫線及び前記第二下折罫線を介してほぼ面一に配置され、前記第一中仕切り板、第二中仕切り板、前記第一上壁部及び前記第二上壁部が、前記第一底板及び前記第二底板に対してほぼ垂直に配置され、前記第一小形仕切り部及び前記第二小形仕切り部が、前記第一上壁部及び前記第二上壁部に対して交差する向きに配置され、前記第一中仕切り板及び前記第二中仕切り板の少なくとも一方の上端部が、前記第一上壁部及び前記第二上壁部の糊付けされていない部分の間に入って係合する。
【００１３】
折り畳み状態では、前記第一仕切り構造板の前記第一下壁部、前記第一上壁部及び前記第一小形仕切り部がほぼ面一に配置され、前記第二仕切り構造板の前記第二下壁部、前記第二上壁部及び前記第二小形仕切り部がほぼ面一に配置され、前記第一底板、前記第一中仕切り板、前記第二中仕切り板及び前記第二底板が順に折り重なる。
【００１４】
また、本考案は、前記緩衝仕切り部材のいずれかとこれを収容する外箱とで構成された包装箱であって、前記緩衝仕切り部材が前記外箱内に収容された状態で、前記緩衝仕切り部材の端部が前記外箱の側面及び底面に係止され、前記緩衝仕切り部材の組み立て状態の形状が保持されるものである。
【考案の効果】
【００１５】
本考案の緩衝仕切り部材によれば、台紙を展開したときの外形や組み立て状態の外形を従来よりも小型化することができ、しかも、瓶等の商品を確実に緩衝的に保護することができる。また、工場等で行う組み立て作業が容易であり、使用者が折り畳んで廃棄する操作も非常に簡単である。
【００１６】
本考案の包装箱によれば、中仕切りを有しない既存の外箱の中に上記緩衝仕切り部材を設置することによって、優れた緩衝効果を有した中仕切り付きの箱体を容易に得ることができる。
【図面の簡単な説明】
【００１７】
【図１】本考案の緩衝仕切り部材の第一の実施形態の組み立て状態を示す斜視図（ａ）、側面図（ｂ）である。
【図２】第一の実施形態の緩衝仕切り部材を構成する台紙を表面側から見た展開図である。
【図３】第一の実施形態の緩衝仕切り部材の折り畳み状態を示す斜視図（ａ）、側面図（ｂ）である。
【図４】本考案の包装箱の第一の実施形態の組み立て状態を示す斜視図である。
【図５】本考案の緩衝仕切り部材の第二の実施形態の組み立て状態を示す斜視図（ａ）、側面図（ｂ）である。
【図６】第二の実施形態の緩衝仕切り部材を構成する台紙を表面側から見た展開図である。
【図７】第二の実施形態の緩衝仕切り部材の折り畳み状態を示す斜視図（ａ）、側面図（ｂ）である。
【図８】本考案の包装箱の第二の実施形態の組み立て状態を示す斜視図である。
【考案を実施するための形態】
【００１８】
以下、本考案の緩衝仕切り部材及びこれを用いた包装箱の第一の実施形態について、図１〜図４に基づいて説明する。この実施形態の緩衝仕切り部材１０は、図１（ａ）、（ｂ）に示すように、互いに区切られた複数の収容部を形成する部材であり、包装箱１２は、別途用意した外箱１４内に緩衝仕切り部材１０を設置することによって形成される中仕切り付きの箱体である。
【００１９】
緩衝仕切り部材１０は、厚紙等のブランクシートを打ち抜いて形成された台紙１６を組み立てることによって形成される。台紙１６は、図２に示すように、下折罫線１８を介して互いに連続する第一底板２０(1)及び第二底板２０(2)を有している。第一底板２０(1)は略長方形で、第二底板２０(2)は、下折罫線１８を軸にして第一底板２０(1)とほぼ線対称の外形になっている。
【００２０】
第一底板２０(1)の、下折罫線１８と反対側の端部には、第一仕切り構造板２２(1)が延設され、下折罫線１８に対向する第一中折罫線２４(1)によって第一底板２０(1)と区切られている。第一仕切り構造板２２(1)は、第一底板２０(1)の端部から、少し斜めの方向（図２における右斜め上の方向）に延設されている。
【００２１】
第二底板２０(2)の、下折罫線１８と反対側の端部には、第二仕切り構造板２２(2)が延設され、第二仕切り構造板２２(2)は、下折罫線１８に対向する第二中折罫線２４(2)によって第二底板２０(2)と区切られている。第二仕切り構造板２２(2)は、下折罫線１８を軸にして第一仕切り構造板２２(1)とほぼ線対称の外形になっている。
【００２２】
第一仕切り構造板２２(1)の、第一中折罫線２４(1)と反対側の端部には、第一中仕切り板２６(1)が延設され、第一中折罫線２４(1)に対向する第一上折罫線２８(1)によって第一仕切り構造板２２(1)と区切られている。第一中仕切り板２６(1)は略長方形で、延設方向長さは、第一仕切り構造板２２(1)の延設方向長さとほぼ等しい。また、第一上折罫線２８(1)と重なる位置には、第一上折罫線２８(1)を折り曲げやすくするため、複数の透孔３０(1)が設けられている。
【００２３】
第二仕切り構造板２２(2)の、第二中折罫線２４(2)と反対側の端部には、第二中仕切り板２６(2)が延設され、第二中折罫線２４(2)に対向する第二上折罫線２８(2)によって第二仕切り構造板２２(2)と区切られている。また、第二上折罫線２８(2)と重なる位置には、第二上折罫線２８(2)を折り曲げやすくするため、複数の透孔３０(2)が設けられている。第二中仕切り板２６(2)は、下折罫線１８を軸にして第一中仕切り板２６(1)とほぼ線対称の外形になっている。
【００２４】
第一仕切り構造板２２(1)は、第一底板２０(1)に連続する第一下壁部３０(1)と、第一中仕切り板２６(1)に連続する第一上壁部３４(1)と、第一下壁部３０(1)及び第一上壁部３４(1)に連続する複数の第一小形仕切り部３６(1)とを有し、各部は、複数の切り込み線３８(1)によって設けられている。切り込み線３８(1)は、下折罫線１８に対して斜め方向（図２における右斜め上の方向）に延びる部分と下折罫線１８と平行な部分とが連続した切り込みであり、複数の切り込み線３８(1)を、下折罫線１８の長さ方向に所定の間隔を空けて配設することによって、同じ形状の第一小形仕切り部３６(1)が複数形成されている。第一小形仕切り部３６(1)と第一下壁部３０(1)とが連続する部分は、第一中折罫線２４(1)と直角な向きに設けられた複数の折罫線４０(1)で区切られ、第一小形仕切り部３６(1)と第一上壁部３４(1)とが連続する部分は、折罫線４０(1)を延長した位置にある複数の折罫線４１(1)で区切られている。
【００２５】
第二仕切り構造板２２(2)は、第二底板２０(2)に連続する第二下壁部３０(2)と、第二中仕切り板２６(2)に連続する第二上壁部３４(2)と、第二下壁部３０(2)及び第二上壁部３４(2)に連続する第二小形仕切り部３６(2)とを有し、各部は、複数の切り込み線３８(2)によって設けられている。切り込み線３８(2)は、下折罫線１８に対して斜め方向（図２における右斜め下の方向）に延びる部分と下折罫線１８と平行な部分とが連続した切り込みであり、複数の切り込み線３８(2)を、下折罫線１８の長さ方向に所定の間隔を空けて配設することによって、同じ形状の第二小形仕切り部３６(2)が複数形成されている。第二小形仕切り部３６(2)と第二下壁部３０(2)とが連続する部分は、第二中折罫線２４(2)と直角な向きに設けられた複数の折罫線４０(2)で区切られ、第二小形仕切り部３６(2)と第二上壁部３４(2)とが連続する部分は、折罫線４０(2)を延長した位置にある複数の折罫線４１(2)で区切られている。第二仕切り構造板２２(2)の各部の構造は、下折罫線１８を軸にして第一仕切り構造板２２(1)とほぼ線対称の形状になっている。
【００２６】
なお、上記の下折罫線１８、第一及び第二中折罫線２４(1)，２４(2)、折罫線４０(1)，４０(2)，４１(1)，４１(2)は、折り曲げた後、その折り曲がり状態が保持されやすいように、複数の破断線により設けられている。
【００２７】
次に、緩衝仕切り部材１０の組み立て方法の一例を説明する。図２は台紙１６を表面側から見た展開図であり、以下、台紙１６の表面が凸になる折り方を正折り、裏面が凸になる折り方を逆折りと称する。
【００２８】
まず、第一仕切り構造板２２(1)の第一上壁部３４(1)の裏面に糊４４(1)を塗布し、第一上折罫線２８(1)を正折りして、第一中仕切り板２６(1)の裏面の部分を第一上壁部３４(1)の裏面に糊付けする。同様に、第二仕切り構造板２２(2)の第二上壁部３４(2)の裏面に糊４４(2)を塗布し、第二上折罫線２８(2)を正折りして、第二中仕切り板２６(2)の裏面の部分を第二上壁部３４(2)の裏面に糊付けする。
【００２９】
そして、第一中仕切り板２６(1)の表面に糊４６を塗布し、下折罫線１８を正折りして、第二中仕切り板２６(2)の表面を第一中仕切り板２６(1)の表面に重ねて糊付けする。これで、図３（ａ）、（ｂ）に示す折り畳み状態になり、緩衝仕切り部材１０を製造する工場等から出荷される。
【００３０】
次に、商品を収容し包装する工場等において、作業者が、折り畳み状態の緩衝仕切り部材１０を立体的に組み立てる操作を行う。まず、折り曲げてある下折罫線１８を伸ばし、第一底板２０(1)と第二底板２０(2)が下折罫線１８を介してほぼ面一になるように動かす。そして、第一上壁部３４(1)及び第二上壁部３４(2)の端部（図３（ａ）における右側の端部）を左向きに押し、折罫線４０(1)，４０(2)を正折りするとともに折罫線４１(1)，４１(2)を逆折りし、第一中仕切り板２６(1)及び第二中仕切り板２６(2)の下端部を下折罫線１８と重なる位置に移動させる。これで、図１（ａ）、（ｂ）に示す組み立て状態になる。
【００３１】
組み立て状態では、第一中仕切り板２６(1)、第二中仕切り板２６(2)、第一下壁部３２(1)、第二下壁部３２(2)、第一上壁部３４(1)、第二上壁部３４(2)、第一小形仕切り部３６(1)及び第二小形仕切り部３６(2)が、第一底板２０(1)及び第二底板２０(2)に対してほぼ垂直に配置され、第一小形仕切り部３６(1)及び第二小形仕切り部３６(2)が、第一上壁部３４(1)及び第二上壁部３４(2)に対してほぼ直角に配置される。これで、第一仕切り構造板２２(1)及び第一中仕切り板２６(1)によって四方を囲まれた複数の収容部と、第二仕切り構造板２２(2)及び第二中仕切り板２６(2)によって四方が囲まれた複数の収容部が形成される。
【００３２】
その後、図４に示すように、緩衝仕切り部材１０を、別に組み立てた外箱１４の中に設置する。外箱１４のサイズは、緩衝仕切り部材１０と同じか僅かに大きく設定され、緩衝仕切り部材１０が外箱１４内に収容された状態で、緩衝仕切り部材１０の端部が外箱１４の側面１４ａ及び底面１４ｂに係止され、緩衝仕切り部材１０の組み立て状態の形状が安定に保持される。緩衝仕切り部材１０は、基材の残留応力（折り曲げに対する反発力等）が大きいと組み立て状態が保持されにくいが、組み立ててから速やかに外箱１４内に設置すれば、特に問題にはならない。
【００３３】
そして、緩衝仕切り部材１０の複数の収容部に瓶等の商品を入れ、外箱１４の天蓋を閉鎖することによって包装が終了し、商品が包装箱１２に入った状態で出荷される。
【００３４】
商品を購入した使用者は、使用済みの包装箱１２を廃棄する時、緩衝用仕切り部材１０を外箱１４から取り出して折り畳む操作を行う。緩衝用仕切り部材１０を折り畳む操作は簡単で、伸びている下折罫線１８を正折りし、第一底板２０(1)と第二底板２０(2)を重ねるように動かすとともに、第一上壁部３４(1)及び第二上壁部３４(2)の端部（図１（ａ）における手前側の端部）を押して、折罫線４０(1)，４０(2)，４１(1)，４１(2)を伸ばすように移動させればよい。その結果、第一下壁部３２(1)、第一上壁部３４(1)及び第一小形仕切り部３６(1)がほぼ面一に配置され、第二下壁部３２(2)、第二上壁部３４(2)及び第二小形仕切り部３６(2)がほぼ面一に配置され、第一底板２０(1)及び第二底板２０(2)が互いに折り重なり、図３（ａ）、（ｂ）に示す折り畳み状態になる。このように、緩衝仕切り部材１０は、子供やお年寄りでも簡単に折り畳むことができる。
【００３５】
以上説明したように、緩衝仕切り部材１０によれば、台紙１６を展開したときの外形や組み立て状態の外形を従来よりも小型化することができ、しかも、瓶等の商品を確実に緩衝的に保護することができる。また、工場等で行う組み立て作業が容易であり、使用者が折り畳んで廃棄する際に行う操作も非常に簡単である。
【００３６】
また、包装箱１２によれば、中仕切りを有しない既存の外箱１４に緩衝仕切り部材１０を設置することによって、優れた緩衝効果を有した中仕切り付きの箱体を容易に得ることができる。
【００３７】
次に、本考案の緩衝仕切り部材及びこれを用いた包装箱の第二の実施形態について、図５〜図８に基づいて説明する。この実施形態の緩衝仕切り部材４８は、図５（ａ）、（ｂ）に示すように、互いに区切られた複数の収容部を形成する部材で、包装箱５０は、別途用意した外箱５２内に緩衝仕切り部材４８を設置することによって形成される中仕切り付きの箱体である。
【００３８】
緩衝仕切り部材４８は、厚紙等のブランクシートを打ち抜いて形成された台紙５４を組み立てることによって形成される。台紙５４は、図６に示すように、上折罫線５６を介して互いに連続する第一仕切り構造板５８(1)及び第二仕切り構造板５８(2)を有している。第一仕切り構造板５８(1)は、第二仕切り構造板５８(2)の端部から、少し斜めの方向（図６における右斜め上の方向）に延設されており、第二仕切り構造板５８(2)は、上折罫線５６を軸にして第一仕切り構造板５８(1)とほぼ線対称の外形になっている。また、上折罫線５６と重なる位置には、上折罫線５６を折り曲げやすくするため、複数の透孔６０が設けられている。
【００３９】
第一仕切り構造板５８(1)の、上折罫線５６と反対側の端部には、第一底板６２(1)が延設され、上折罫線５６に対向する第一中折罫線６４(1)によって第一仕切り構造板５８(1)と区切られている。第一底板６２(1)は略長方形である。
【００４０】
第二仕切り構造板５８(2)の、上折罫線５６と反対側の端部には、第二底板６２(2)が延設され、上折罫線５６に対向する第二中折罫線６４(2)によって第二仕切り構造板５８(2)と区切られている。第二底板６２(2)は、上折罫線５６を軸にして第一底板６２(1)とほぼ線対称の外形になっている。
【００４１】
第一底板６２(1)の、第一中折罫線６４(1)と反対側の端部には、第一中仕切り板６６(1)が延設され、第一中折罫線６４(1)に対向する第一下折罫線６８(1)によって第一底板６２(1)と区切られている。第一中仕切り板６６(1)は略長方形である。
【００４２】
第二底板６２(2)の、第二中折罫線６４(2)と反対側の端部には、第二中仕切り板６６(2)が延設され、第二中折罫線６４(2)に対向する第二下折罫線６８(2)によって第二底板６２(2)と区切られている。第二中仕切り板６６(2)は、上折罫線５６を軸にして第一中仕切り板６６(1)とほぼ線対称の外形になっている。
【００４３】
第一仕切り構造板５８(1)は、第一底板６２(1)に連続する第一下壁部７０(1)と、第二仕切り構造板５８(2)に連続する第一上壁部７２(1)と、第一下壁部７０(1)及び第一上壁部７２(1)に連続する複数の第一小形仕切り部７４(1)とを有し、各部は、複数の切り込み線７６(1)によって設けられている。切り込み線７６(1)は、上折罫線５６に対して斜め方向（図６における右斜め上の方向）に延びる部分と上折罫線５６と平行な部分とが連続した切り込みであり、複数の切り込み線７６(1)を、上折罫線５６の長さ方向に所定の間隔を空けて配設することによって、同じ形状の第一小形仕切り部７４(1)が複数形成されている。第一小形仕切り部７４(1)と第一下壁部７０(1)とが連続する部分は、第一中折罫線６４(1)と直角な向きに設けられた複数の折罫線７８(1)で区切られ、第一小形仕切り部７４(1)と第一上壁部７２(1)とが連続する部分は、折罫線７８(1)を延長した位置にある複数の折罫線７９(1)で区切られている。
【００４４】
第二仕切り構造板５８(2)は、第二底板６２(2)に連続する第二下壁部７０(2)と、第一仕切り構造板５８(1)に連続する第二上壁部７２(2)と、第二下壁部７０(2)及び第二上壁部７２(2)に連続する複数の第二小形仕切り部７４(2)とを有し、各部は、複数の切り込み線７６(2)によって設けられている。切り込み線７６(2)は、上折罫線５６に対して斜め方向（図６における右斜め下の方向）に延びる部分と上折罫線５６と平行な部分とを連続させた切り込みであり、複数の切り込み線７６(2)を、上折罫線５６の長さ方向に所定の間隔を空けて配設することによって、同じ形状の第二小形仕切り部７４(2)が複数形成されている。第二小形仕切り部７４(2)と第二下壁部７０(2)とが連続する部分は、第二中折罫線６４(2)と直角な向きに設けられた複数の折罫線７８(2)で区切られ、第二小形仕切り部７４(2)と第二上壁部７２(2)とが連続する部分は、折罫線７８(2)を延長した位置にある複数の折罫線７９(2)で区切られている。第二仕切り構造板５８(2)の各部の構造は、上折罫線５６を軸にして第一仕切り構造板５８(1)とほぼ線対称の形状になっている。
【００４５】
なお、上記の第一及び第二中折罫線６４(1)，６４(1)、第一及び第二下折罫線６８(1)，６８(2)，折罫線７８(1)，７８(2)，７９(1)，７９(2)は、折り曲げた後、その折り曲がり状態が保持されやすいように、複数の破断線により設けられている。
【００４６】
次に、緩衝仕切り部材４８の組み立て方法の一例を説明する。図６は台紙５４を表面側から見た展開図であり、以下、台紙５４の表面が凸になる折り方を正折り、裏面が凸になる折り方を逆折りと称する。
【００４７】
まず、第一下折罫線６８(1)を正折りして第一中仕切り板６６(1)を第一底板６２(1)の裏面に重ね、第二下折罫線６８(2)を正折りして第二中仕切り板６６(2)を第二底板６２(2)の裏面に重ね、第一上壁部７２(1)の、上折罫線５６側の部分の裏面に糊８０を塗布し、第一中仕切り板６６(1)の表面に糊８２を塗布する。そして、上折罫線５６を正折りして、第二上壁部７２(2)の裏面を第一上壁部７２(1)の裏面に糊付けするとともに、第二中仕切り板６６(2)の表面を第一中仕切り板６６(1)の表面に糊付けする。このとき、第一上壁部７２(1)の部分７２ａ(1)と第二上壁部７２(2)の部分７２ａ(2)は、互いに糊付けされずに重なり合う。これで、図７（ａ）、（ｂ）に示す折り畳み状態になり、緩衝仕切り部材４８を製造する工場等から出荷される。
【００４８】
次に、商品を収容し包装する工場等において、作業者が、折り畳み状態の緩衝仕切り部材４８を立体的に組み立てる操作を行う。まず、折り曲げてある第一下折罫線６８(1)と第二下折罫線６８(2)を伸ばして、第一底板６２(1)と第二底板６２(2)が第一及び第二下折罫線６８(1)，６８(2)を介してほぼ面一になるように動かす。そして、第一上壁部７２(1)及び第二上壁部７２(2)の端部（図７（ａ）における右側の端部）を左向きに押し、折罫線７８(1)，７８(2)を正折りするとともに折罫線７９(1)，７９(2)を逆折りし、第一中仕切り板６６(1)及び第二中仕切り板６６(2)の上端部を、部分７２ａ(1)と部分７２ａ(2)の間に深く差し込んで係合させる。これで、図５（ａ）、（ｂ）に示す組み立て状態になる。
【００４９】
組み立て状態では、第一中仕切り板６６(1)、第二中仕切り板６６(2)、第一下壁部７０(1)、第二下壁部７０(2)、第一上壁部７２(1)、第二上壁部７２(2)、第一小形仕切り部７４(1)及び第二小形仕切り部７４(2)が、第一底板６２(1)及び第二底板６２(2)に対してほぼ垂直に配置され、第一小形仕切り部７４(1)及び第二小形仕切り部７４(2)が、第一上壁部７２(1)及び第二上壁部７２(2)に対してほぼ直角に配置される。これで、第一仕切り構造板５８(1)及び第一中仕切り板６６(1)によって四方を囲まれた複数の収容部と、第二仕切り構造板５８(2)及び第二中仕切り板６６(2)によって四方が囲まれた複数の収容部が形成される。この緩衝仕切り部材４８の形状は、第一及び第二中仕切り板６６(1)，６６(2)の上端部と部分７２ａ(1)，７２ａ(2)とが係合しているので、安定に保持される
その後、図８に示すように、緩衝仕切り部材４８を、別に組み立てた外箱５２の中に設置する。外箱５２のサイズは、緩衝仕切り部材４８と同じか僅かに大きく設定され、緩衝仕切り部材４８が外箱１４内に収容された状態で、緩衝仕切り部材４８の端部が外箱１４の側面１４ａ及び底面１４ｂに係止され、緩衝仕切り部材４８の組み立て状態の形状がより安定に保持される。
【００５０】
そして、緩衝仕切り部材４８の複数の収容部に瓶等の商品を入れ、外箱５２の天蓋を閉鎖することによって包装が終了し、商品が包装箱５０に入った状態で出荷される。
【００５１】
商品を購入した使用者は、使用済みの包装箱５０を廃棄する時、緩衝用仕切り部材４８を外箱５２から取り出して折り畳む操作を行う。緩衝用仕切り部材４８を折り畳む操作は簡単で、まず、ほぼ９０度に正折りされた状態の第一下折罫線６８(1)と第二下折罫線６８(2)をさらに深く正折りし、第一底板２０(1)と第二底板２０(2)を重ねるように動かすとともに、部分７２ａ(1)，７２ａ(2)の間に係合している第一及び第二中仕切り板６６(1)，６６(2)の上端部を引き抜く。さらに、第一上壁部７２(1)及び第二上壁部７２(2)の端部（図５（ａ）における手前側の端部）を押して、折罫線７８(1)，７８(2)，７９(1)，７９(2)を伸ばすように移動させる。その結果、第一下壁部７０(1)、第一上壁部７２(1)及び第一小形仕切り部７４(1)がほぼ面一に配置され、第二下壁部７０(2)、第二上壁部７２(2)及び第二小形仕切り部７４(2)がほぼ面一に配置され、第一底板６２(1)、第一中仕切り板６６(1)、第二中仕切り板６６(2)及び第二底板６２(2)が順に折り重なり、図７（ａ）、（ｂ）に示す折り畳み状態になる。このように、緩衝仕切り部材４８は、子供やお年寄りでも簡単に折り畳むことができる。
【００５２】
以上説明したように、緩衝仕切り部材４８及びこれを用いた包装箱５０によれば、上記の緩衝仕切り部材１０及び包装箱１２と同様の作用効果を得ることができる。また、この緩衝仕切り部材４８は、単体で組み立て状態の形状が安定に保持されるので、緩衝仕切り部材４８を包装箱５０内に入れる作業が容易であり、外箱５２を使用せず緩衝仕切り部材４８だけで商品を保管することも可能である。
【００５３】
なお、本考案の緩衝仕切り部材及びこれを用いた包装箱は、上記実施形態に限定されるものではない。例えば、上記緩衝仕切り部材１０は、第一及び第二仕切り構造板２２(1)，２２(2)が互いに線対称な形状になっているが、同様の組み立て方や折り畳み方が可能であれば、線対称な形状でなくてもよい。緩衝仕切り部材４８についても同様である。
【００５４】
上記緩衝仕切り部材１０は、組み立て状態で、第一及び第二小形仕切り部３６(1)，３６(2)が、第一及び第二上壁部３４(1)，３４(2)に対してほぼ直角に配置されるように設計されているが、第一及び第二上壁部３４(1)，３４(2)に対して斜め方向に配置されるようにしてもよい。また、第一及び第二小形仕切り部３６(1)，３６(2)の数や形状は、収容物の数や形状に合わせて適宜変更可能である。緩衝仕切り部材４８についても同様である。
【００５５】
上記緩衝仕切り部材１０は、第一及び第二折罫線２８(1)，２８(2)を折り曲げやすくするために複数の透孔３０(1)，３０(2)を設け、他の折罫線については折り曲げた状態が保持されやすいように複数の破断線により設けているが、各折罫線の形態は、台紙の素材や厚み等に合わせて適宜変更することができる。緩衝仕切り部材４８についても同様である。
【００５６】
緩衝仕切り部材を入れる外箱は、少なくとも底面及び側面を有する箱体であればよく、天蓋は省略してもよい。また、外箱のサイズは、複数の緩衝仕切り部材を底面に整列配置できる大きさとしてもよく、この場合、各緩衝仕切り部材の端部が、外箱の側面及び底面と隣接する緩衝仕切り部材とで係止され、各緩衝仕切り部材の組み立て状態の形状が保持されることになる。
【符号の説明】
【００５７】
１０，４８  緩衝仕切り部材
１２，５０  包装箱
１４，５２  外箱
１６，５４  台紙
１８  下折罫線
２０(1)，６２(1)  第一底板
２０(2)，６２(2)  第二底板
２２(1)，５８(1)  第一仕切り構造板
２２(2)，５８(2)  第二仕切り構造板
２４(1)，６４(1)  第一中折罫線
２４(2)，６４(2)  第二中折罫線
２６(1)，６６(1)  第一中仕切り板
２６(2)，６６(2)  第二中仕切り板
２８(1)  第一上折罫線
２８(2)  第二上折罫線
３２(1)，７０(1)  第一下壁部（第一仕切り構造板）
３２(2)，７０(2)  第二下壁部（第二仕切り構造板）
３４(1)，７２(1)  第一上壁部（第一仕切り構造板）
３４(2)，７２(2)  第二上壁部（第二仕切り構造板）
３６(1)，７４(1)  第一小形仕切り部（第一仕切り構造板）
３６(2)，７４(2)  第二小形仕切り部（第二仕切り構造板）
４４(1)，４４(2)，４６，８０，８２  糊
５６  上折罫線
６８(1)  第一下折罫線
６８(2)  第二下折罫線
【図１】
0003210123.tif 000003
【図２】
0003210123.tif 000004
【図３】
0003210123.tif 000005
【図４】
0003210123.tif 000006
【図５】
0003210123.tif 000007
【図６】
0003210123.tif 000008
【図７】
0003210123.tif 000009
【図８】
0003210123.tif 000010